(57)【要約】      （修正有）【課題】椅子の背もたれパッド調整構造を提供する。【解決手段】椅子の背もたれパッド調整構造は、支承板１中に、ギア縁により相対噛合する連動棒を枢接し、連動棒底端は、底板３中に軌接され、支承板は背もたれパッドを結合し、底板はフレーム上に結合され、伝動構造４により、連動棒底端の底板中の相対距離の変化を制御し、背もたれパッドがシフトできる。【選択図】図４
0003116477.tif 000002
【実用新案登録請求の範囲】
【請求項１】
背もたれパッドの調整構造であって、
対応する連動棒が、支承板中に枢接され、ギア縁により相対噛合し、前記連動棒底端は、底板中に軌接され、前記支承板は背もたれパッドを結合し、前記底板はフレーム上に結合され、伝動構造により、前記連動棒底端の底板中の相対距離の変化を制御し、背もたれパッドがシフトできるような構造であることを特徴とする背もたれパッドの調整構造。
【請求項２】
前記連動棒は、ローラーを枢設することにより、前記底板のトラック中に軌接されることを特徴とする請求項１に記載の背もたれパッドの調整構造。
【請求項３】
前記伝動構造は、二つの導線により、前記底板を穿置し、弾性素子を設置した後、前記連動棒の係合素子を連結し、導線調整器により、同時に引っ張って、前記弾性素子により、前記連動棒を回復させることを特徴とする請求項１、或いは、２に記載の背もたれパッドの調整構造。
【請求項４】
前記伝動構造が対応する連動棒底端に枢固された係合素子は、相対する螺紋を有し、前記底板に枢固される伝動螺棒に螺接し、伝動螺棒の伝動により、前記連動棒を制御して開合することを特徴とする請求項１、或いは、２に記載の背もたれパッドの調整構造。
【請求項５】
単辺の連動棒と前記底板間は、連棒を枢設し、もう一側の連動棒は、前記伝動構造により制御されることを特徴とする請求項１、或いは、２に記載の背もたれパッドの調整構造。
【請求項６】
背もたれパッドの調整構造であって、
対応する連動棒が、支承板中に枢接され、ギア縁により相対噛合し、前記連動棒底端は、もう一つの連動棒を枢接し、前記ギア縁により、底板中で噛合し、前記連動棒の二曲接箇所は、前記伝動構造の制御を受けて距離を調整することを特徴とする背もたれパッドの調整構造。
【請求項７】
前記伝動構造は、導線により底板を穿置し、弾性素子を設置した後、前記連動棒の二曲折箇所の係合素子を連結し、導線調整器により、同時に引っ張って、前記弾性素子により、前記連動棒を回復させることを特徴とする請求項６に記載の背もたれパッドの調整構造。
【請求項８】
前記伝動構造は、前記連動棒の二曲折箇所に、係合素子を枢固し、前記底板に枢固された伝動螺棒が螺接された後、前記連動棒が開合する動作を制御することを特徴とする請求項６に記載の背もたれパッドの調整構造。
【考案の詳細な説明】
【技術分野】
【０００１】
本考案は、椅子の背もたれパッド調整構造に関するものであって、特に、支承板中に、ギア縁により相対噛合する連動棒を枢接し、連動棒底端は、底板中に軌接され、支承板は背もたれパッドを結合し、底板はフレーム上に結合され、伝動構造により、連動棒底端の底板中の相対距離の変化を制御し、背もたれパッドがシフトできる調整構造に関するものである。
【背景技術】
【０００２】
最近では、様々な種類の椅子があり、構造設計上も様々な新技術が開発されて、人体工学、快適性、便利性などの観点からも研究されている。しかし、椅子の功能から見ると、クッションの高度や肘掛の昇降、椅子の前後の揺れなどの功能しか提供されておらず、一般の使用者には、それなりの快適性を提供しているが、子供や体の不自由な人への配慮がなされていない。椅子のクッションの昇降調整だけでは、高度は調整されても、使用者の背部は、正確な姿勢が保たれないまま背もたれにもたれるので、背部が支承されない状態が長期間続くと、脊椎に異常が生じる。
【０００３】
本考案は、上述の問題に対し、改良を加えて改善する。
【考案の開示】
【考案が解決しようとする課題】
【０００４】
本考案は、椅子の背もたれパッド調整構造を提供することを目的とし、支承板中に、ギア縁により相対噛合する連動棒を枢接し、連動棒底端は、底板中に軌接され、支承板は背もたれパッドを結合し、底板はフレーム上に結合され、伝動構造により、連動棒底端の底板中の相対距離の変化を制御し、背もたれパッドがシフトできる。  
【課題を解決するための手段】
【０００５】
上述の調整構造は、支承板、底板により、それぞれ、背もたれパッドとフレームを結合し、伝動構造により、連動棒底端の相対距離を制御し（即ち、二つの連動棒の挟角を変更する）、支承板と底板間に、シフトを形成し、これにより、背もたれパッドがフレームの調整により、クッション上で、前後に移動する。
【考案の効果】
【０００６】
児童や小柄な人も、好ましい状態で使用でき、同一の椅子でも、大人と子供が共用できるという利点がある。
【考案を実施するための最良の形態】
【０００７】
本考案の背もたれ椅子パッドの調整構造は、図１、図２で示されるように、対応する連動棒２が、支承板１中に枢設され、ギア縁２１を有して噛合し、連動棒２底端は、係合素子４４を枢設して、底板３に軌接され（図３で示される）、支承板１は、背もたれパッド１０１を結合し、底板３は、椅子３のフレーム１０２上に結合されている。伝動構造４により、二つの連動棒２底端の相対距離を変更し、パッド１０１とフレーム１０２との距離を調整する。
【０００８】
上述の構造から分かるように、対応する連動棒２は、支承板１中に枢設され、ギア縁２１が噛合状態を形成するので、ギア縁２１の噛合に制限されて、対応する連動棒２が受力後、開合状態を有するので、連動棒２底端が底板３に軌接される時、連動棒２の開合制御により、支承板１と底板３の距離を調整することができ、パッド１０１は、クッション１０３に対して、前後に調整することができる。これにより、実質上、一般の椅子１０に適用する以外に、支承板１がパッド１０１を結合した後、車椅子上に適用することができる（図４で示されるように、底板３と車椅子、或いは、椅子１０のフレーム１０２が結合するのに必要な固定素子は、公知後術が利用できるので、ここに詳述しない）。
【０００９】
連動棒２は、ローラー２２を枢設することにより、底板３のトラック３１中に軌接される。
【００１０】
本考案が採用する伝動構造４は、二つの導線４１により底板３を穿置し、弾性素子４２を設置した後、連動棒２の係合素子４４を連結し（図５で示されるように、係合素子４４の設置は、伝動構造４が連結をしやすくするためである）、導線調整器４０により、二つの導線４１を同時に引っ張って、対応する連動棒２を序々に挟合させ、支承板１と底板３の距離を増大して、パッド１０１を前にシフトさせ、導線４１を緩めて、弾性素子４２の復位により、連動棒２を次第に開放し、支承板１と底板３の相対距離を縮小し、パッド１０１を後ろにシフトする制御を達成する。
【００１１】
更に、本考案のもう一つの伝動構造４が、対応する連動棒２底端に枢固された係合素子４４は、相対する螺紋を有し（左螺紋、右螺紋）、底板３に枢固される伝動螺棒４３に螺接し（図６で示されるように、伝動螺棒４３は、二段式で、係合素子４４に螺接された後結合するか、或いは、連動棒２が支承板１と枢固されない状況下で、一体成型される伝動螺棒４３を係合素子４４にそれぞれ螺入する）、伝動螺棒４３の伝動により、連動棒２を制御して開合する。
【００１２】
続いて、伝動構造４の設置コストを抑えるため、本考案の伝動構造４は、片側の連動棒２だけ連結し、もう一側の連動棒２と底板３間は、連棒２３を枢設し、伝動構造４が連動棒２を帯動する時、もう一側の連動棒２は、連動棒２３の設置により、同時に、対応動作する。
【００１３】
上述の構造から分かるように、支承板１と底板３間の調整工程は、連動棒２の開合状態により決定するので、対応する連動棒２の長さが長いほど、更に大きい距離制御が得られるが、体積が膨大で、組み立てが不便な問題が存在するので、本考案は、更に、対応する連動棒２を支承板１中に枢設すると共に、ギア縁２１が噛合して開合状を呈し、連動棒２底端は、更に、もう一つの連動棒２を枢接し（図８で示される）、ギア縁２１は、底板３中に噛合して、連動棒２のニ曲折箇所は、伝動構造４の制御を受ける時、更に多くの距離調整を得ることが出来る。
【００１４】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１５】
【図１】本考案の外観図である。
【図２】本考案の構造図である。
【図３】本考案を椅子に実施するときの状態図である。
【図４】本考案を車椅子に実施するときの状態図である。
【図５】本考案の導線伝動構造図である。
【図６】本考案の伝動螺棒構造図である。
【図７】本考案の単辺の連動棒の伝動構造を設置する構造図である。
【図８】本考案のもう一つの構造図である。
【符号の説明】
【００１６】
１…支承板
２…連動棒
２１…ギア縁
２２…ローラー
２３…連棒
３…底板
３１…軌道
４…伝動構造
４０…導線調整器
４１…導線
４２…弾性素子
４３…伝動螺棒
４４…係合素子
１０…椅子
１０１…背もたれパッド
１０２…フレーム
１０３…クッション
【図１】
0003116477.tif 000003
【図２】
0003116477.tif 000004
【図３】
0003116477.tif 000005
【図４】
0003116477.tif 000006
【図５】
0003116477.tif 000007
【図６】
0003116477.tif 000008
【図７】
0003116477.tif 000009
【図８】
0003116477.tif 000010